(57)【特許請求の範囲】
【請求項１】
副走査方向に前記原稿を搬送しながら主走査方向の所定の読み取り幅で画像データを読み取る読み取り手段と、
中央基準位置を中心とした主走査方向の幅で、前記読み取り手段による読み取り可能な最大幅以下の原稿の幅を検出する原稿幅検出手段と、
読み取った画像データに基づいて記録シートの端部を基準に画像を形成する画像形成手段と、
入力及び表示のための操作表示手段と、
前記操作表示手段から前記読み取り手段の読み取り可能な最大幅で読み取りを行う旨を示す最大幅読み取りの指示入力があったときには前記原稿幅検知手段によって検知された幅でなく、前記読み取り可能な最大幅を前記所定の読み取り幅とし、前記最大幅読み取りの指示入力がなかったときには、前記原稿幅検出手段の検出した幅を前記所定の読み取り幅とする読み取り幅設定手段と、
を備えることを特徴とする画像形成装置。 
【請求項２】
前記読み取り手段によって読み取った画像データに対する変倍処理、及び主走査方向へシフトさせるシフト処理を施す画像処理手段と、
前記最大幅読み取りの指示入力があった場合、前記読み取り可能な最大幅で設定された前記読み取り幅に変倍率を乗じた際の中心と原稿台の中心を合わせ、読み取り時に画像データを主走査方向へセンタリングさせるセンタリング手段と、
をさらに備えていることを特徴とする請求項１記載の画像形成装置。 
【請求項３】
記録シートを収納した複数のトレイと、
前記操作表示手段によって選択されたトレイに収納された記録シートの情報をエンジン制御部に通知する通知手段と、
を備えていることを特徴とする請求項１記載の画像形成装置。 
【請求項４】
前記通知手段により通知された記録シート情報を前記エンジン制御部で記憶する記憶手段を備えていることを特徴とする請求項３記載の記載画像形成装置。 
【請求項５】
前記読み取り幅設定手段が設定した前記読み取り幅をエンジン制御部に通知する通知手段を備えていることを特徴とする請求項１ないし３のいずれか１項に記載の画像形成装置。 
【請求項６】
前記最大幅読み取りの指示入力は、前記読み取り可能な最大幅で読み取ることを示した前記操作表示手段のキーを指定することにより行われることを特徴とする請求項１記載の画像形成装置。 
【請求項７】
原稿長検出手段をさらに備え、
前記最大幅読み取りの指示入力があった場合も、前記最大幅読み取りの指示入力がなかった場合にも、前記原稿長検出手段で検出した原稿長を原稿長とすることを特徴とする請求項６記載の画像形成装置。 
【請求項８】
前記読み取り手段により読み取られた画像データのサイズに一致するサイズの記録シートを画像形成する記録シートとして選択する自動用紙選択手段をさらに備え、前記操作表示手段からの前記自動用紙選択手段と前記最大幅読み取りの指示入力との同時実行設定を不可とする設定不可手段を備えていることを特徴とする請求項７記載の画像形成装置。 
【請求項９】
前記最大幅読み取りの指示入力があった場合、かつ前記読み取り幅を前記操作表示手段から指定された主走査倍率に変倍した結果が前記操作表示手段から指定された用紙トレイの用紙の幅よりも大きい場合、前記中央基準位置と前記用紙の主走査方向の中央位置が同じになるように、前記主走査方向の読み取り開始位置を決定する決定手段を備えていること
を特徴とする請求項２記載の画像形成装置。
【請求項１０】
前記最大幅読み取りの指示入力があった場合、かつ前記読み取り幅を前記操作表示手段から指定された主走査倍率に変倍した結果が前記操作表示手段から指定された用紙トレイの用紙の幅よりも小さい場合、前記用紙の主走査方向の中央位置に前記読み取った画像の主走査方向の中央が来るように、前記画像データの主走査方向へのシフト量を決定する決定手段を備えていること
を特徴とする請求項２記載の画像形成装置。
【請求項１１】
前記決定手段は、さらに前記読み取り開始位置と前記読み取り幅と前記主走査倍率と前記用紙の幅とに基づいて、前記読み取った画像データから主走査方向の先端画像を削除する削除量を決定すること
を特徴とする請求項９記載の画像形成装置。
【請求項１２】
前記決定手段は、さらに前記シフト量と前記読み取り幅と前記主走査倍率と前記用紙の幅とに基づいて、前記読み取った画像データへの主走査方向の先端への白画像データの追加量を決定すること
を特徴とする請求項１０記載の画像形成装置。
【発明の詳細な説明】
【技術分野】
【０００１】
本発明は、原稿の読み取りは中央基準で、画像の形成は記録シートの端部を基準にして行う画像形成装置に関する。
【０００２】
この種の技術として例えば特許文献１あるいは２に記載された発明が公知である。このうち、特許文献１には、原稿画像を回転した状態で転写紙へ複写する動作を適切に行えるようにすることを目的とし、給紙する原稿の原稿給紙方向に対して直交する方向の長さを検知する原稿主走査幅検知手段と、給紙する原稿の原稿給紙方向に対して平行する方向の長さを検知する原稿副走査長検知手段と、給紙した原稿が不定形サイズであることを判断する不定形原稿判断手段と、読み取った原稿画像を記憶する原稿画像記憶手段を備え、前記不定形原稿判断手段により、不定形サイズであると判断された場合、前記原稿副走査長検知手段が検知した原稿副走査長を主走査長として持つ転写紙を選択し、前記原稿画像記憶手段に記憶された原稿画像を９０度回転した状態で、前記選択した転写紙に記録するようにした複写機が開示されている。
【０００３】
また、特許文献２には、不定形原稿の画像データを、指定されたコピー用紙に自動的に全て収まるようにすることを目的とし、サイズ変倍機能を有するデジタル複写機であって、不定形原稿から読み取った原稿画像データに基づいて、前記不定形原稿上の画像領域の最大矩形を抽出する画像領域抽出手段と、指定されたコピー用紙に前記画像領域抽出手段により抽出された画像領域が収まる大きさに画像を変倍する画像変倍手段とを備え、前記不定形原稿の画像データを、指定されたコピー用紙に収まるように前記画像変倍手段により変倍して前記コピー用紙に記録するデジタル複写機が開示されている。
【０００４】
このように原稿のサイズを検知し、検知したサイズを読み取り範囲として読み取り、指定された用紙に画像形成する画像形成装置は公知である。その際、読み取り範囲、読み取り方向、用紙サイズなど同じであれば問題はないが、同じでない場合に対応して前者では回転処理と、後者では変倍処理を行っている。
【特許文献１】特開２００４−２８９２７２号公報
【特許文献２】特開２００４−１１２２４０号公報
【発明の開示】
【発明が解決しようとする課題】
【０００５】
また、前述のように原稿のサイズを検知し、検知したサイズを読み取り範囲として読み取り、指定された用紙に画像形成する際、用紙サイズと原稿サイズが異なる場合に、原稿と用紙とで基準位置が異なることがある。例えば、原稿が中央基準で用紙が端部基準というような場合である。このような場合には、読み取り範囲の端部から画像形成が行われると画像（原稿）の中央と用紙の中央とが合わなくなり、ユーザが意図していない画像が形成されてしまう。特に、原稿サイズが大きい場合には、必要な部分が欠けてしまう可能性がある。
【０００６】
また、定型のサイズにのみ対応させて用紙検知センサが配置されているものでは、不定形のサイズの原稿が原稿読み取り部に載置されたときに、センサの配置位置に原稿が届かないことがあり、このような場合には１サイズ小さな用紙サイズと誤検知してしまうことがある。このような誤検知が発生すると、画像の端部が欠けてしまうことになる。さらに、変倍を伴う場合、基準位置が一致していないと、ずれが変倍率に応じて現出するため、同様の問題が生じる。
【０００７】
すなわち、従来のデジタル複写機などの画像形成装置においては、読み取り画像データの画像編集のため、画像データ端部と転写紙端部を合わせる端面基準出力となっている。そのため、画像データ中央部と転写紙中央部を合わせる中央基準出力のように、画像データを転写紙の中央に転写させることができない。これに対処するためには、例えば原稿幅を指定した転写紙幅に置き換え、端面基準のマシンによって中央基準イメージでの出力を得ることができるようにすることも考えられる。しかしながら、転写紙幅より大きい幅の原稿を画像欠けなく読み取ることは不可能であり、ましてや、縮小して転写紙幅に収めて出力することは不可能である。
【０００８】
本発明は、このような従来技術の実情に鑑みてなされたもので、その目的は、原稿幅に関わらず原稿全体を読み取らせ、かつ、端面基準出力の仕様である画像形成装置においても、中央基準出力同様の出力結果を得ることができるようにすることにある。
【課題を解決するための手段】
【０００９】
前記目的を達成するため、第１の手段は、副走査方向に前記原稿を搬送しながら主走査方向の所定の読み取り幅で画像データを読み取る読み取り手段と、中央基準位置を中心とした主走査方向の幅で、前記読み取り手段による読み取り可能な最大幅以下の原稿の幅を検出する原稿幅検出手段と、読み取った画像データに基づいて記録シートの端部を基準に画像を形成する画像形成手段と、入力及び表示のための操作表示手段と、前記操作表示手段から前記読み取り手段の読み取り可能な最大幅で読み取りを行う旨を示す最大幅読み取りの指示入力があったときには前記原稿幅検知手段によって検知された幅でなく、前記読み取り可能な最大幅を前記所定の読み取り幅とし、前記最大幅読み取りの指示入力がなかったときには、前記原稿幅検出手段の検出した幅を前記所定の読み取り幅とする読み取り幅設定手段とを備えた画像形成装置を特徴とする。 
第２の手段は、第１の手段において、前記読み取り手段によって読み取った画像データに対する変倍処理、及び主走査方向へシフトさせるシフト処理を施す画像処理手段と、前記最大幅読み取りの指示入力があった場合、前記読み取り可能な最大幅で設定された前記読み取り幅に変倍率を乗じた際の中心と原稿台の中心を合わせ、読み取り時に画像データを主走査方向へセンタリングさせるセンタリング手段と、をさらに備えていることを特徴とする。 
第３の手段は、記録シートを収納した複数のトレイと、前記操作表示手段によって選択されたトレイに収納された記録シートの情報をエンジン制御部に通知する通知手段と、を備えていることを特徴とする。 
第４の手段は、第３の手段において、前記通知手段により通知された記録シート情報を前記エンジン制御部で記憶する記憶手段を備えていることを特徴とする。 
第５の手段は、第１ないし第３のいずれかの手段において、前記読み取り幅設定手段が設定した前記読み取り幅をエンジン制御部に通知する通知手段を備えていることを特徴とする。 
第６の手段は、第１の手段において、前記最大幅読み取りの指示入力は、前記読み取り可能な最大幅で読み取ることを示した前記操作表示手段のキーを指定することにより行われることを特徴とする。 
第７の手段は、第６の手段において、原稿長検出手段をさらに備え、前記最大幅読み取りの指示入力があった場合も、前記最大幅読み取りの指示入力がなかった場合にも、前記原稿長検出手段で検出した原稿長を原稿長とすることを特徴とする。 
第８の手段は、第７の手段において、前記読み取り手段により読み取られた画像データのサイズに一致するサイズの記録シートを画像形成する記録シートとして選択する自動用紙選択手段をさらに備え、前記操作表示手段からの前記自動用紙選択手段と前記最大幅読み取りの指示入力との同時実行設定を不可とする設定不可手段を備えていることを特徴とする。 
第９の手段は、第２の手段において、前記最大幅読み取りの指示入力があった場合、かつ前記読み取り幅を前記操作表示手段から指定された主走査倍率に変倍した結果が前記操作表示手段から指定された用紙トレイの用紙の幅よりも大きい場合、前記中央基準位置と前記用紙の主走査方向の中央位置が同じになるように、前記主走査方向の読み取り開始位置を決定する決定手段を備えていることを特徴とする。
第１０の手段は、第２の手段において、前記最大幅読み取りの指示入力があった場合、かつ前記読み取り幅を前記操作表示手段から指定された主走査倍率に変倍した結果が前記操作表示手段から指定された用紙トレイの用紙の幅よりも小さい場合、前記用紙の主走査方向の中央位置に前記読み取った画像の主走査方向の中央が来るように、前記画像データの主走査方向へのシフト量を決定する決定手段を備えていることを特徴とする。
第１１の手段は、第９の手段において、前記決定手段は、さらに前記読み取り開始位置と前記読み取り幅と前記主走査倍率と前記用紙の幅とに基づいて、前記読み取った画像データから主走査方向の先端画像を削除する削除量を決定することを特徴とする。
第１２の手段は、第１０の手段において、前記決定手段は、さらに前記シフト量と前記読み取り幅と前記主走査倍率と前記用紙の幅とに基づいて、前記読み取った画像データへの主走査方向の先端への白画像データの追加量を決定することを特徴とする。
【発明の効果】
【００２６】
本発明によれば、
１）検出原稿幅を最大読み取り幅へ置き換えることにより原稿挿入位置に無関係に原稿全
体を画像の欠けなく読み取らせることが可能となる。  
２）読み取り時に転写紙幅を参照して「読み取り基準位置の操作」と「読み取り画像のシ
フト」を行うことにより、端面基準出力の装置においても中央基準出力同様の出力結果を
得ることができる。  
という効果を奏する。
【発明を実施するための最良の形態】
【００２７】
以下、本発明の実施形態について図面を参照して説明する。
【００２８】
図１は本発明の実施形態に係る画像形成装置の全体構成を示す図である。同図において、画像形成装置１０は、本体上部に操作表示部１、その下側に原稿台２、最下部に転写紙収納トレイ３が設けられ、操作表示部１のさらに上部に原稿の上方配置口４が、原稿台２と転写紙収納トレイ３との間に転写紙の前方排紙口５がそれぞれ設けられている。
【００２９】
図２は本実施形態に係る画像形成装置１０の電気的構成（制御構成）を示すブロック図である。同図において画像形成装置１０は、システム制御部１１とエンジン制御部１２とから構成され、両者はバスで接続されている。エンジン制御部１２は、エンジン管理部１３、スキャナ部１４、プロッタ部１５及びエンジンメモリ部１６から基本的に構成されている。スキャナ部１４、プロッタ部１５及びエンジンメモリ部１６はエンジン管理部１３にバス接続され、制御上、エンジン管理部１３の下位に位置し、エンジン管理部１３によって制御される。スキャナ部１４の下位には原稿幅検出部１７、原稿長検出部１８、原稿搬送部１９及び画像処理部２０が位置し、それぞれスキャナ部１４に接続されている。プロッタ部１５の下位には画像処理部２０、用紙搬送部２１、作像部２２及び定着部２３が位置し、それぞれプロッタ部１５に接続されている。
【００３０】
システム制御部１１には、操作表示部２４、コピーアプリケーション部２５、スキャナアプリケーション２６、プリンタアプリケーション部２７及びファックスアプリケーション部２８がそれぞれ接続され、各アプリケーションの実行が可能となり、また、操作表示部２４からユーザの入力及びシステム側からの表示が可能となる。
【００３１】
図３は原稿幅検知センサの配置状態を示す図で、これらの原稿幅検知センサＳＮは原稿台２の奥に配置されている。原稿幅検知センサＳＮは光学的センサ、例えば反射式のフォトディフレクタあるいは透過式のフォトインタラプタが使用される。原稿幅検知センサＳＮは図において左側から右側にＳＮ１〜１１の１１個設けられている。原稿検知センサＳＮ１はＢ１Ｔ（Ｂ１縦、以下Ｔは縦を示す。なお、ＢはＪＩＳ−Ｂ系列のサイズを表す。）、ＳＮ２はＢ２Ｔ、ＳＮ３はＢ３Ｔ、ＳＮ４はＢ４Ｔ、ＳＮ５はＡ４Ｔ（ＡはＪＩＳ−Ａ系列のサイズ表す。）、ＳＮ６はＡ３Ｔ、ＳＮ７はＡ２Ｔ、ＳＮ８はＡ１Ｔ、ＳＮ９は幅６６０、ＳＮ１０はＡ０Ｔ、ＳＮ１１は幅９１４の用紙幅の用紙を検知するためのセンサであり、図中参照符号Ｃで示した位置が用紙の中央部である。なお、前記各センサはＳＮ５を除いて用紙搬送方向同一位置に配置され、ＳＮ５だけはほぼ中央に位置していることから他の１０の原稿検知センサＳＮ１〜４，ＳＮ６〜１１よりも用紙搬送方向上流側に配置されて用紙検知センサ（用紙挿入センサ）としても機能している。また、図３中、下側に記してある数字は用紙中央部Ｃからの各センサＳＮの距離をｍｍで表したものである。
【００３２】
図４は原稿を読み取り位置にセットする状態を示す説明図である。同図から分かるように原稿台２の中央基準位置（中央部Ｃに同じ、以下、同一の参照符号を付す）を中心に主走査方向に読み取り幅を設定するため、図４のように原稿６の中央を原稿台２の中央に合うように挿入する。原稿中央を原稿台中央からずらして挿入すると、図３のセンサ配置により、原稿幅を正常に検出することができず、画像欠けとなってしまう。また、図３のセンサ配置により、原稿端面がセンサとセンサ間となるような不定形原稿の場合はセンサからオーバーしている部分は通常読み取りモードでは読み取ることができない。
【００３３】
そこで、本実施形態では、操作表示部２４の操作によって原稿台中央部と転写紙中央部の位置を合わせることができるようにした。図５は操作表示部２４の表示状態を示す図で、中央上部にトレイが４つ並んでおり各［トレイ］キー２４ａの押下で用紙のトレイ、言い換えれば用紙サイズを選択することができる。
【００３４】
本実施形態においては、図５における操作表示部２４の右下部にある［変倍］キー２４ｅの押下で変倍設定画面へ移行し、そこで変倍率を設定する。また、左下部にある［セット方向／不定形］キー２４ｂの押下で図６の表示状態に移行し、ここの［読み取り幅拡大］キー２４ｃの押下で最大幅読み取りが選択可能となる。［読み取り幅拡大］を選択したときは、原稿幅を読み取り可能な最大幅に置き換えることにより、原稿全体を画像の欠けなく読み取らせることが可能となり、さらに変倍率を考慮して読み取り画像データを主走査方向へセンタリングさせることによって端面基準出力の装置でも中央基準出力と同様の出力結果を得ることが可能となる。
【００３５】
図７はこのときの原稿セットからコピー出力までの処理手順を示すフローチャートである。図７において、図５の操作表示部２４で選択したトレイ情報は、図２に示したシステム制御部１１を通してエンジン制御部１２に通知される。すなわち、操作表示部（操作パネル）２４のトレイ表示部２４ａから使用する転写紙のトレイが選択されると（ステップＳ１２１）、選択されたトレイ情報がシステム制御部（フローチャートではコントローラと称している）１１からエンジン制御部１２に通知される（ステップＳ１２２）。通知されたトレイ情報（転写情報）はエンジン管理部１３からエンジンメモリ部１６に記憶される（ステップＳ１２３）。
【００３６】
一方、原稿読み取りでは、原稿が原稿台にセットされ（ステップＳ１０１）、前記原稿幅検知センサＳＮ１〜１１により原稿幅が検知されると（ステップＳ１０２）、システム制御部１１から原稿のサイズ要求がエンジン管理部１３に通知され（ステップＳ１０３、まず、エンジン制御部１３で「読み取り幅拡大」（フローチャートでは最大幅読み取りと記す）が設定されているか否かが判断され（ステップＳ１０４）、「読み取り幅拡大」が設定されていなければ原稿幅検知結果をそのまま原稿幅として原稿仮サイズを決定し（ステップＳ１０５ａ）、「読み取り幅拡大」が設定されていれば、原稿幅検出部での検出結果を使用せず、原稿幅を読み取り可能な最大幅を原稿幅とし、その原稿幅から原稿仮サイズを決定する（ステップＳ１０５ｂ）。なお、［読み取り幅拡大］キー２４ｃは図６の操作表示部２４の正面図から分かるように操作表示部２４の左側のブロックに表示される。もし、選択された場合には文字と背景が反転することになる。図６への操作表示部２４の表示変更は、図５の左下にある［セット方向／不定形］キー２４ｂの押下で実行される。この［読み取り幅拡大］キー２４ｃの押下でステップＳ１０４が肯定判断となる。決定された原稿仮サイズはシステム制御部１１に通知される（ステップＳ１０６）。
【００３７】
次いで、システム制御部１１から読み取り開始要求がエンジン管理部１３に出力され（ステップＳ１０７）、スキャナ部１４の下位にある画像処理部２０で読み取り設定を行い（ステップＳ１０８）、原稿搬送部１９で原稿を搬送しながら読み取りが行われる（ステップＳ１０９）。読み取り長は操作表示部で設定された長さとなる。そして、原稿の搬送が終了すると（ステップＳ１１０）、エンジン制御部１２は、実原稿長と原稿確定サイズをシステム制御部１１に通知して（ステップＳ１１１）読み取りを終え（ステップＳ１１２）、読み取り動作は終了となる（ステップＳ１１３）。その後、出力動作へと移行する（ステップＳ１１４）。原稿長については、操作表示部２４での［読み取り幅拡大］設定有無に関わらず、原稿長検出部における検出結果をそのまま使用し、原稿長の置き換えは行わない。その後、指定トレイより出力される。
【００３８】
なお、図７のフローチャートには手順として説明されていないが、図５で［自動用紙選択］キー２４ｄが選択され、自動用紙選択が設定された状態で［読み取り幅拡大］キー２４ｃを選択する（図６の状態）と、自動的に［自動用紙選択］は解除され、他のトレイに選択を切り替える。［読み取り幅拡大］が設定されている状態では［自動用紙選択］は半輝度表示とし選択不可能としている。
【００３９】
図８は図７のステップＳ１０８のサブルーチンの処理内容、すなわち、画像処理部２０における読み取り設定処理手順を示すフローチャートである。この処理手順では、まず、設定状態の変更の有無をチェックし（ステップＳ２０１）、前回と設定状態に変化がなければ読み取り設定を終了する（ステップＳ２１０）。一方、読み取り設定状態に変更があれば、読み取り設定を行う。ここでの読み取り設定状態には、最大幅読み取りの設定、主走査変倍率の設定、指定トレイの転写紙幅がある。
【００４０】
すなわち、ステップＳ２０１で設定状態の変更があれば、最大幅読み取りが設定されているか否かをチェックし（ステップＳ２０２）、設定されていない場合は、原稿基準、つまり、「原稿幅×主走査変倍率」から読み取り基準位置を算出して（ステップＳ２０４ｃ）読み取り開始位置を決定し（ステップＳ２０５）、読み取り開始位置に満たない部分を主走査先端削除量として決定する（ステップＳ２０６ｃ）。ただし、左端面基準での出力であるため、主走査先端削除量を設定する必要がなく、設定量は「０」となる。
【００４１】
最大幅読み取りが設定されている場合は、転写紙幅を考慮して読み取り基準位置を決める。基準位置は、「原稿幅（置き換えた最大幅）×主走査変倍率」と「転写紙幅」を比較し（ステップＳ２０３）し、「原稿幅（置き換えた最大幅）×主走査変倍率」の方が大きい場合（ステップＳ２０４ａ）、つまり、読み取り画像データの方が大きい場合は、「転写紙幅（＝読み取り幅）」から読み取り基準位置を算出して読み取り開始位置を決定し（ステップＳ２０５）、読み取り開始位置に満たない部分を主走査先端削除量として決定する（ステップＳ２０６ａ）。逆に「転写紙幅」の方が大きい場合、つまり、読み取り画像データの方が小さい場合は、「原稿幅×主走査変倍率」から読み取り基準位置を算出して（ステップＳ２０４ｂ）読み取り開始位置を決定（ステップＳ２０５）し、読み取り開始位置に満たない部分を主走査先端削除量として決定する（ステップＳ２０６ｂ）する。ただし、読み取り画像データの方が小さいため、主走査先端削除量を設定する必要がなく、設定量は「０」となる。
【００４２】
次に、先端削除量と同様に「原稿幅（置き換えた最大幅）×主走査変倍率」と「転写紙幅」からシフト量を決定する（ステップＳ２０７）。「原稿幅（置き換えた最大幅）×主走査変倍率」の方が大きい場合、つまり、読み取り画像データの方が大きい場合は、シフトする必要がないためシフト量を「０」とし（ステップＳ２０８ｂ）、シフトしないことから主走査先端方向に空白部分が発生しないので、先端白画像追加量も同様に「０」となる（ステップＳ２０９）。最大読み取りが設定されていない場合も同様となる（ステップＳ２０８ｃ、Ｓ２０９）。
【００４３】
これに対し、先端削除とは逆に「原稿幅（置き換えた最大幅）×主走査変倍率」の方が小さい場合、つまり、読み取り画像データの方が小さい場合は、読み取り基準位置を基準として、「転写紙幅」と「原稿幅（置き換えた最大幅）×主走査変倍率」の中央差分をシフト量とする（ステップＳ２０８ａ）。このシフトにより主走査先端方向に発生する空白部分にゴミ画像などが出ないように、先端白画像追加量を設定し（ステップＳ２０９）、ステップＳ２１０に移行する。
【００４４】
図９は「原稿幅（置き換えた最大幅）×主走査変倍率」＞「転写紙幅」のときの処理状態を示す説明図である。図９では、原稿台５１、転写紙幅５２、読み取り幅５３の関係を示している。すなわち、原稿台５１に対して操作表示部２４から指定したトレイの転写紙幅を符号５２で示し、そのときの読み取り原稿幅を符号５３で示す。この状態で幅５４の原稿を読み取った場合に、等倍で読み取った読み取りデータは符号５５で示すようになる。ここでは左端面基準出力であるため、符号５２で示す転写紙幅の左端、すなわち転写紙左端面に合わせたデータとなる。
【００４５】
転写紙幅は符号５２で示される幅であるため、この幅に納める必要がある。そこで、変倍により読み取りデータを縮小する（符号５６）。この縮小した状態で前記転写紙幅５２とすると、まだ読み取りデータの方が大きいので、符号５７で示すように主走査後端に画像の欠けた部分が発生する。そこで、このような欠けが生じないように符号５６の縮小データの中心Ｃ１を符号５２で示される転写紙幅の中心Ｃに合わせる（符号Ａ）。すなわち、読み取りデータ幅中心Ｃ１と転写紙幅中心Ｃとが重なるように読み取り開始位置に前記両者の中心の差分を加算する（符号５８）。これにより転写紙幅５２を考慮した読み取り基準変更が符号５８で示すように行われ、転写紙幅５２に満たない部分が削除されて符号５９に示すようになり、出力結果が符号６０で示されるものとなる。これにより左端面基準出力が中央基準イメージに変換されたことになる。なお、読み取り基準位置の変更を行わない場合の出力結果は、当然、前記画像が欠けた部分を有することとなる（符号５７）。
【００４６】
図１０は「原稿幅（置き換えた最大幅）×主走査変倍率」＜「転写紙幅」のときの処理状態を示す説明図である。図１０では、原稿台６１、転写紙幅６２、読み取り幅６３の関係を示している。すなわち、原稿台６１に対して操作表示部２４から指定したトレイの転写紙幅を符号６２で示し、そのときの読み取り原稿幅を符号６３で示す。この状態で幅６４の原稿を読み取った場合に、等倍で読み取った読み取りデータは符号６５で示すようになる。ここでは左端面基準出力であるため、符号６２で示す転写紙幅の左端、すなわち転写紙左端面に合わせたデータとなる。
【００４７】
転写紙幅は符号６２で示される幅であるため、この幅に納める必要がある。そこで、変倍により読み取りデータを縮小する（符号６６）。この縮小した状態で前記転写紙幅６２とすると、まだ読み取りデータの方が小さいので、符号６７で示すように画像の欠けた部は発生しないが中央基準ではなく左端基準のままである。そこで、本実施形態では、符号６６の縮小データの中心Ｃ２を符号６２で示される転写紙幅の中心Ｃに合わせる。すなわち、読み取りデータ幅中心Ｃ２と転写紙幅中心Ｃとが重なるように読み取り開始位置から前記両者の中心の差分だけシフトする（符号６８）。これにより転写紙幅６２を考慮した読み取り基準変更が符号Ｂで示すように行われ、転写紙幅に対して余った部分、ここでは、主走査方向の先端側に対しては白画像を追加し、主走査方向の後端側は白詰めし、符号６２で示す転写紙幅いっぱいに白画像データを持たせることにより符号６９に示すようになり、出力結果が符号７０で示されるものとなる。これにより左端面基準出力が中央基準イメージに変換されたことになる。なお、シフトを行わない場合の出力結果は、符号６７のように左端基準で右端側に情報のない状態となる。
【００４８】
以上のように本実施形態によれば、以下のような効果を奏する。
【００４９】
１）原稿幅を読み取り可能な最大幅に置き換えることにより、不定形原稿を画像欠けが発生することなく読み取ることができる。
【００５０】
２）読み取り画像を主走査方向へセンタリングさせることにより、端面基準出力の装置においても中央基準出力同様の出力結果が得ることができる。
【００５１】
３）操作表示部上で選択したトレイの転写材情報をエンジン制御部が随時取得しているので、常に最新の選択情報を知ることができる。
【００５２】
４）操作表示部上で選択したトレイの転写材情報を取得後に前記転写紙情報をエンジン制御部で記憶しているので、最大幅読み取りの場合には転写材幅に合わせて読み取りを実行することができる。
【００５３】
５）操作表示部上で選択した最大幅読み取りの設定情報をエンジン制御部へ通知しているので、エンジン制御部で原稿幅の置換えの実行有無を判断することができる。
【００５４】
６）原稿幅を読み取り可能な最大幅に置き換えることにより不定形原稿を画像欠けの発生なしに読み取ることが可能となり、さらに、原稿挿入位置をずらすことにより任意の位置で読み取らせることが容易に行える。
【００５５】
７）操作表示部上で転写材幅基準読み取りの実行の有無が選択可能なので、端面基準での出力と中央基準出力イメージでの出力とをユーザが目的に合わせて選ぶことができる。
【００５６】
８）操作表示部上で最大幅読み取りを選択している場合には、原稿幅検出結果を使用しないようにしているので、原稿幅に関わらず常に最大幅で読み取ることができる。
【００５７】
９）操作表示部上で最大幅読み取りを選択していない場合には、原稿幅検出結果を使用するので、転写材幅に関わらず常に検出した原稿幅で読み取ることができる。
【００５８】
10）操作表示部上での最大幅読み取りの選択の有無に関わらず検出した原稿長を置き換えずにそのまま使用しているので、原稿長に変倍率を乗じた長さとロール状の転写材長を同じ長さにカットするシンクロカット処理にも対応ができる。
【００５９】
11)読み取り終了後に転写材を決める自動用紙選択では、読み取り時に読み取り画像を操作することができないことから、自動用紙選択と最大幅読み取りとの同時選択不可とすることにより、読み取り前の設定段階でユーザが自動用紙選択と最大幅読み取りの両立不可を知ることができる。
【００６０】
12）変倍後の読み取り画像データが指定したトレイの転写材の幅を超える場合に、読み取り基準位置をエンジン制御部の画像処理部内で変更することによって主走査変倍後の読み取り画像のセンタリングを行うことができる。
【００６１】
13）変倍後の読み取り画像データが指定したトレイの転写材の幅に満たない場合に、読み取り画像データを主走査方向へシフトするので、主走査のセンタリングを行うことができる。
【００６２】
14）読み取り基準位置をエンジン制御部の画像処理部内で変更した場合に、主走査読み取り開始位置に満たない部分の画像データを削除するので、狙いの読み取り画像データをシステム制御部へ転送することができる。
【００６３】
15）エンジン制御部の画像処理部内で読み取り画像データをシフトさせた場合に、シフトにより発生する空白部分に白画像を追加するので、読み取り画像データにゴミ画像を発生させずに、狙いの読み取り画像データをシステム制御部へ転送することができる。
【００６４】
16）操作表示部での読み取り条件に変更がある場合のみ主走査センタリング手段に必要な算出をすることにより画像処理にかかる処理時間を短縮することができる。
【図面の簡単な説明】
【００６５】
【図１】本発明の実施形態に係る画像形成装置の全体構成を示す図である。
【図２】本発明の実施形態に係る画像形成装置の電気的構成（制御構成）を示すブロック図である。
【図３】原稿幅検知センサの配置状態を示す図である。
【図４】原稿を読み取り位置にセットする状態を示す説明図である。
【図５】操作表示部の表示状態を示す図である。
【図６】図５から読み取り幅拡大キーが表示された表示画面に移行した状態を示す図である。
【図７】本実施形態における処理手順を示すフローチャートである。
【図８】図７におけるステップＳ１０８の処理内容を示す順を示すフローチャートである。
【図９】本実施形態における「原稿幅（置き換えた最大幅）×主走査変倍率」＞「転写紙幅」のときの処理状態を示す説明図である。
【図１０】本実施形態における「原稿幅（置き換えた最大幅）×主走査変倍率」＜「転写紙幅」のときの処理状態を示す説明図である。
【符号の説明】
【００６６】
１，２４  操作表示部
２，５１，６１  原稿台
１０  画像形成装置
１１  システム制御部
１２  エンジン制御部
１３  エンジン管理部
１４  スキャナ部
１５  プロッタ部
１６  エンジンメモリ部
１７  原稿幅検出部
１８  原稿長検出部
１９  原稿搬送部
２０  画像処理部
２１  用紙搬送部
２２  作像部
２３  定着部
２４  操作表示部
【図１】
0004705855.tif 000002
【図２】
0004705855.tif 000003
【図３】
0004705855.tif 000004
【図４】
0004705855.tif 000005
【図５】
0004705855.tif 000006
【図６】
0004705855.tif 000007
【図７】
0004705855.tif 000008
【図８】
0004705855.tif 000009
【図９】
0004705855.tif 000010
【図１０】
0004705855.tif 000011